(57)【要約】【課題】メガネチェーン等の各種アクセサリーを所定の位置で保持し続けることにより、当該アクセサリーのもつ効用を損なうことの無いメガネを提供する。【解決手段】一対のテンプル部２のそれぞれに連設されるモダン部３を備えるメガネ１において、一対のモダン部３のそれぞれの後端部には第１挿通孔７が穿設されている。第１挿通孔７には、各種アクセサリーの挿通部を挿入して結び付けることにより、メガネ１に対してメガネチェーン等の各種アクセサリーを直接取り付けることができる。【選択図】図１
0003221908.tif 000002
【実用新案登録請求の範囲】
【請求項１】
一対のテンプル部のそれぞれに連設されるモダン部を備えるメガネにおいて、
一対の前記モダン部のそれぞれの後端部には第１挿通孔が穿設されていることを特徴とするメガネ。
【請求項２】
前記テンプル部の少なくともいずれか一方には第２挿通孔が穿設されていることを特徴とする請求項１記載のメガネ。
【請求項３】
前記第１挿通孔の内径が、前記第１挿通孔に挿通されるアクセサリーの挿通部の外径よりも大きいことを特徴とする請求項１又は２記載のメガネ。
【考案の詳細な説明】
【技術分野】
【０００１】
本考案は、テンプル部を備えるメガネに関する。
【背景技術】
【０００２】
通常一般に使用されるメガネには、一対のレンズを顔の所定の位置で安定的に保持するため、テンプル（つる）と称される部位が設けられている。テンプルは、前端がリム又はレンズ（リムレス）に連結され後端側が耳に掛けられる部位であり、装着状態においてフロントからこめかみを通って耳の付け根上部に向けて伸びるように設けられている。流通するメガネの多くは、長時間メガネを掛けても耳に痛みが生じ難いように、テンプルの後端側にはモダンと称される部位が設けられている。
【０００３】
メガネの掛け外しが多い場合、老眼鏡と遠用メガネを使い分ける場合や、メガネの落下を防ぎたい場合には、メガネを首から吊り下げることが可能なメガネチェーン等と称される紐状ないし鎖状のメガネ吊下用アクセサリーがテンプルに取り付けられることがある。また、メガネに装飾性を付加したい場合には、ビーズやストーン等の各種装飾品があしらわれた装飾用アクセサリーがテンプルに取り付けられることがある。従来、これらのアクセサリーをテンプルに連結する手段として、テンプルの後端側から嵌入されるリング状の弾性体（例えば、特許文献１）などが知られている。
【先行技術文献】
【特許文献】
【０００４】
【特許文献１】特開２００３−７０５１２号公報
【考案の概要】
【考案が解決しようとする課題】
【０００５】
メガネチェーン等の各種アクセサリーをテンプルに連結するための手段として、ゴム製等の弾性体を用いる従来の方法では、経年劣化により嵌合力が低下して外れたり、所定の取付け位置からずれたりし易い。その他、様々な連結用金具が考案されているものの、いずれも、部品点数が増えることによるコストの増加、装着の手間、連結用金具の脱落によるメガネの破損のおそれ等の問題がある。
【０００６】
本考案の目的は、上記課題を解決し、メガネチェーン等の各種アクセサリーを所定の位置で保持し続けることにより、当該アクセサリーのもつ効用を損なうことの無いメガネを提供することを目的とする。
【課題を解決するための手段】
【０００７】
本考案に係るメガネは、
一対のテンプル部のそれぞれに連設されるモダン部を備えるメガネにおいて、
一対の前記モダン部のそれぞれの後端部には第１挿通孔が穿設されていることを特徴とする。
【０００８】
本考案に係るメガネは、前記テンプル部の少なくともいずれか一方には第２挿通孔が穿設されているものであっても良い。
【０００９】
あるいは、本考案に係るメガネは、前記第１挿通孔の内径が、前記第１挿通孔に挿通されるアクセサリーの挿通部の外径よりも大きいものであっても良い。
【考案の効果】
【００１０】
本考案によれば、メガネチェーン等の各種アクセサリーを所定の位置で保持し続けることができるので、当該アクセサリーのもつ効用を損なうことの無い、優れて有用なメガネを提供することができる。本考案は、前記従来の技術とは異なり、連結用金具を用いるものではないため、部品点数が増えることによるコストの増加や、装着の手間、固定力の低下による位置ずれや、経年劣化等により破損した際の脱落のおそれ等の問題が生じない。
【図面の簡単な説明】
【００１１】
【図１】本考案の一実施例であるメガネの斜視図である。
【図２】図１に示すメガネの使用状態を示す側面図である。
【考案を実施するための形態】
【００１２】
以下、実施例を用いて本考案を具体的に説明するが、本考案はこれらに限定されるものではない。
【００１３】
図１は、本考案の一実施例であるメガネ１の斜視図であり、より具体的には、一対のテンプル部２のそれぞれに連設されるモダン部３を備えるメガネ１に対して本考案を適用したものを後方から模式的に示した図である。図１に示すとおり、メガネ１は、一対のレンズ４と、各レンズ４が嵌め込まれたリム部５とを有し、リム部５の各側端にはテンプル部２（つる）の前端側が回動用のヒンジ金具６を介して所定の角度で回動可能に連結されている。かかる構成により、テンプル部２を把持して回動することにより、リム部５と略並行となるように折りたたむ、又は、図１に示すように展開することができるようになっている。
【００１４】
テンプル部２は、前端がリム部５に装着され後端側が耳に掛けられる部位であり、装着状態においてフロントからこめかみを通って耳の付け根上部に向けて伸びるように設けられている。長時間メガネを掛けても耳に痛みが生じにくくするため、それぞれのテンプル部２の後端側にはモダン部３が設けられている。モダン部３は、耳の付け根の形状に沿ってアーチ状に湾曲している。
【００１５】
一対のモダン部３のそれぞれの後端部には第１挿通孔７が穿設されている。この第１挿通孔７は、メガネチェーンの挿通部を挿入して結び付けることが可能な内径寸法に穿設されている。なお、本実施例の第１挿通孔７は水平方向に挿通するように穿設されているが、モダン部に厚みがある場合には上下方向、即ちモダン部の上面と下面に開口する方向に設けるようにしても良い。
【００１６】
第１挿通孔７が穿設されるモダン部３の後端部は、装着時において、耳の付け根から後方ないし下方に向けて延設される箇所、即ち、耳またはその付け根部に当接する位置から後方に延設された箇所にあるため、ここに第１挿通孔７を穿設しても使用上のメガネ１の強度は損なわれない。なお、第１挿通孔７は、より好ましくは、モダン部３の後端部側面における略中央の位置、即ち、モダン部３の後端部の上縁、下縁及び後端縁までの長さががほぼ等距離となる位置に穿設される。例えば、モダン部の高さ（上下）方向の寸法が約７ｍｍである場合には、内径が約３ｍｍである第１挿通孔を、上縁、下縁及び後端縁のそれぞれから約２ｍｍずつ間隔を設けた位置に穿設する。
【００１７】
さらに、一方のテンプル部２には、第２挿通孔８が穿設されている。第２挿通孔８は、ビーズやストーン等で構成される装飾用アクセサリーを取り付けるための孔であり、好ましくは、装着時において当該アクセサリーが耳の付け根の前側に配置される位置に穿設されている（図２参照）。なお、第２挿通孔８は、設けなくても良いし、一対のテンプル部２のそれぞれに設けるようにしても良い。
【００１８】
第２挿通孔８は、装飾用アクセサリーの挿通部を挿入して結び付けることが可能な内径寸法に穿設されている。なお、第２挿通孔８の内径はテンプル部の幅寸法の半分以下、例えば、テンプル部の高さ（上下）方向の寸法が約３ｍｍである場合には、０．５〜１．５ｍｍ程度とすることが望ましい。
【００１９】
図２は、図１に示すメガネ１の使用状態を示す側面図である。メガネチェーン１０は、紐状の本体部１１と、本体部１１の両端に設けられた挿通部１２とにより構成される。それぞれの第１挿通孔７には、メガネ吊下用アクセサリーであるメガネチェーン１０の挿通部１２が挿入されて結び付けられている。これにより、図２に示すように、メガネチェーン１０を備えるメガネ１として使用可能であるところ、従来の連結手段と異なり、メガネ１の構成部材（モダン部３）に設けられた挿通孔に連結することが可能であるため、メガネ１に対して各種アクセサリーを直接取り付けることができ、メガネチェーン１０が抜けにくく、メガネ１を外して首からぶら下げたときでも安定しており、メガネチェーン１０の利便性（効用）を損なうことがない。
【００２０】
加えて、第２挿通孔８には、装飾用アクセサリー１３の挿通部が挿入されて縛り付けられている。これにより、図２に示すように、メガネ１に装飾性が付加されるところ、従来の連結手段と異なり、本実施例ではメガネ１の構成部材（テンプル部２）に設けられた挿通孔に直接連結しているため、アクセサリーが抜けにくく、取付け位置がずれないため当該アクセサリーの効用である装飾性を損なうことがない。特に、第２挿通孔８を装着時において当該アクセサリーが耳の付け根の前側に配置される位置に穿設することにより、イヤリングを付けたかのような視覚的効果を演出できる。すなわち、本実施例のメガネ１によれば、メガネチェーンを含む各種アクセサリーを所定の位置で保持し続けることにより、各種アクセサリーのもつ利便性や装飾性を損なうことの無い、優れて有用なメガネを提供することができる。
【００２１】
本考案に係るメガネは、第１挿通孔の内径が、第１挿通孔に挿通されるアクセサリー（例えば、メガネ吊下用アクセサリーであるメガネチェーン）の挿通部の外径よりも大きいものであっても良い。かかる構成とすることにより、メガネに対してアクセサリーを相対的に回転可能に取り付けることが可能であり、例えば、メガネチェーンを取り付けて使用する場合には、メガネを外して首からぶら下げたときに、メガネチェーンの挿通部を中心として体に接するようにメガネが回転して吊下されるので、首からメガネをぶら下げたときでも活動し易く、机や他人等に接触しにくいため壊れにくい。
【００２２】
本考案は、上記実施例に限定されず、その考案の趣旨を逸脱しない範囲で種々変形実施が可能である。例えば、前記実施例はリムを有するメガネであるが、本考案は、テンプル部がレンズに連結される、いわゆるリムレスのメガネに適用することも可能である。サングラスやレンズの無いメガネフレームにも適用することができる。
【産業上の利用可能性】
【００２３】
本考案は、通常一般に使用されるメガネに汎用的に適用することができる。
【符号の説明】
【００２４】
１    メガネ
２    テンプル部
３    モダン部
４    レンズ
５    リム部
６    ヒンジ金具
７    第１挿通孔
８    第２挿通孔
１０    メガネチェーン
１１    本体部
１２    挿通部
１３    装飾用アクセサリー
【図１】
0003221908.tif 000003
【図２】
0003221908.tif 000004